(57)【要約】【課題】  ネクタイをワイシャツなどの衣類に装着する際に使用するネクタイ通しの構造と、ネクタイ通しにネクタイを取り付けるネクタイ通しを提供する。【解決手段】  手動によって開閉でき、かつ、開き、または、閉じた状態を維持できるクリップ（１）の口内にゴム製の歯（２）を設け、さらに、そのクリップ（１）を、平滑で薄い帯状のガイドプレート（３）の一端に設けた構成を特徴とする。【選択図】図１
2019070219.tif 000002
【特許請求の範囲】
【請求項１】
手動によって開閉でき、かつ、開き、または、閉じた状態を維持できるクリップ（１）の口内にゴム製の歯（２）を設け、さらに、そのクリップ（１）を、平滑で薄い帯状のガイドプレート（３）の一端に設けた構成を特徴とするネクタイ通し。
【発明の詳細な説明】
【技術分野】
【０００１】  本発明は、ネクタイをワイシャツなどの衣類に装着する際に使用するネクタイ通しの構造と、ネクタイ通しにネクタイを取り付けるネクタイ通しに関するものである。
【背景技術】
【０００２】  従来、ワイシャツなどにネクタイを装着する際は、その都度、襟を立てて装着し、襟を見頃に固定するボタンが付いているシャツの場合は、その都度、ボタンを外したうえで、襟を立てている。
また、襟を立てずにネクタイを装着するための手段として、帯状の一端に設けた穴、または、切り込みにネクタイを借固定して使用するという器具が発明されていた（特許文献１参照）。
【先行技術文献】
【特許文献】
【０００３】
【特許文献１】特開２０１３−２５６７４４号公報
【発明の概要】
【発明が解決しようとする課題】
【０００４】  しかし、その先行技術には、以下の欠点があった。
（イ）ワイシャツなど衣類の襟にネクタイを装着する際は、その都度、襟を立てる作業も必要となり、ネクタイ装着にかかる労力とは別の労力と時間を要求される。
（ロ）襟を衣類の見頃部分にボタン等で固定させているシャツの場合は、そのボタン等を外す作業も必須となり、ネクタイ装着の際に要求される労力と時間も、さらに増加する。
（ハ）これら（イ）、（ロ）の課題を解決する目的で公開された特許文献１であるが、特許文献１によっては、ネクタイの借固定という目的で設けられた穴にネクタイを通す際、ネクタイは二つ折りにせざるを得ず、不要な負荷をネクタイ生地に課すことが不可避となる。
（ニ）特許文献１によって二つ折りにされた部分は、ネクタイ生地二枚分に加えて、特許文献１が示す器具本体の厚さも加わり、その部分の厚さが最低でもネクタイ二枚分を超えることから、シャツ見頃と襟との間の狭い隙間を当該器具によって引き抜かれる際には、シャツの生地とネクタイの間に生じる摩擦抵抗も否応なく増大することとなり、さらなる負荷をシャツの襟の内側生地とネクタイ生地の双方に課すこととなる。
（ホ）特許文献１によって示される穴にネクタイを通すという方法と、特許文献１の「他の実施の形態」に示される切り込みに引っ掛けるという方法のいずれによっても、二つ折りとせざるを得ないネクタイ部分は、綺麗に折り畳まれた平滑状態ではなく、穴、または、切り込みの下部に寄せ集まって捩れた状態となるため、その部分のネクタイ生地に加えられる負荷はさらに増す。
（ヘ）特許文献１の「他の実施の形態」に示される切り込みに引っ掛ける方法では、切り込みの縁先が鋭利かつ細い形状（特許文献１の図４の符号５）であるため、ここにネクタイを引っ掛けるとネクタイ自体の重量によってこの縁先が外側に開いてしまい、当該器具を引き抜く際に、この縁先が襟口に引っ掛かってネクタイの脱落が発生する。
このように、切り込みに引っ掛けて借固定する、という方法では、ネクタイを通すという目的の実現そのものが極めて困難である。
特許文献１の諸課題である（ハ）、（ニ）、（ホ）、（ヘ）の各課題は、本発明の発明者が、特許文献１を実際に試作し、そのひとつひとつを確認しているものである。
本発明は、これらの欠点を解決するためになされたものである。
【課題を解決するための手段】
【０００５】  手動によって開閉でき、かつ、開き、または、閉じた状態を維持できるクリップ（１）の口内にゴム製の歯（２）を設け、さらに、そのクリップ（１）を、平滑で薄い帯状のガイドプレート（３）の一端に設けた構成を特徴とするネクタイ通しである。
【発明の効果】
【０００６】（イ）ネクタイを装着する際に必ず要求されていた襟を立てるという作業が全く不要となり、ネクタイ装着時に要していた労力と時間の双方が、劇的に軽減できる。
（ロ）ボタン等で襟を見頃に固定させているシャツの場合は、襟を立てる作業の解消に加え、襟のボタン等を外す作業も不要となることから、ネクタイ装着時に要していた労力と時間双方の軽減効果は、さらに顕著となる。
（ハ）優柔性の高いゴム製の歯を設けたクリップにその一端を取り付けることで、ネクタイを二つ折りにすることなく平滑状態のままで襟の中へ引き入れることができるようになり、二つ折りによって不要な負荷をネクタイ生地に加える懸念が完全に解消される。
（ニ）通常の平滑状態でネクタイを通すことが実現することで、どの部分も厚さは通常のネクタイ一枚分となり、厚さの増加による負荷増大の懸念も皆無となる。
（ホ）通常の平滑状態でネクタイを通すことが実現することで、寄せ集まりや捩れ等の変形によるネクタイ生地への負荷増大という懸念も皆無となる。
（ヘ）クリップが持つ高い把持力と共に、ゴム製の歯が持つ優柔性と弾力性、そして、強靭性による相乗効果によって、ネクタイ通しの牽引性能は格段に向上する。
これにより、シャツ見頃と襟の間を進行する最中にネクタイが脱落するという懸念も完全に払拭される。
（ト）本発明によるネクタイ通しによって、ネクタイを装着する際に要していた労力と時間は劇的に軽減短縮でき、かつ、これらの実現を図る目的であるところの特許文献１がその構造上不可避的に内包していた欠点の数々も、その解決が図られる。
本発明は、襟を立てなくても、ボタンを外さなくても、ネクタイを装着するという目的を、容易に、かつ、確実に実現するものである。
【図面の簡単な説明】
【０００７】
【図１】  本発明の実施の形態の主要部分を拡大した正面図である。
【図２】  従来技術を示した正面図である。
【図３】  本発明の正面図である。
【図４】  本発明のクリップを開いた状態部分を拡大した側面図である。
【図５】  本発明のクリップを開いた状態部分を拡大した斜視図である。
【図６】  本発明のクリップにネクタイを挟んだ状態部分を拡大した斜視図である。
【発明を実施するための形態】
【０００８】  以下、本発明の実施の形態について説明する。
（イ）手動によって開閉でき、かつ、開き、または、閉じた状態を維持できるクリップ（１）の口内に、ゴム製の歯（２）を設ける。
（ロ）ゴム製の歯（２）を設けたクリップ（１）を、平滑で薄い帯状のガイドプレート（３）の一端に設ける。
本発明の構成は以上である。
本発明の実施は、クリップ（１）の口を指などで開いてネクタイ（Ｘ）の一端をそこに差し入れ、再びクリップ（１）を閉じてネクタイ（Ｘ）を取り付ける。
次に、ガイドプレート（３）の先端（４）を左襟口（Ａ）の中に挿入し、そのまま襟の中へ押し進めていく。
先端（４）が反対側の右襟口（Ｂ）から現れたら、指当て穴（５）に指を当てるなどして先端（４）を掴み、ガイドプレート（３）を襟の中から引き出す。
クリップ（１）と、それに挟まれたネクタイ（Ｘ）が現れたら、任意の位置でガイドプレート（３）の引き出し動作を止め、閉じているクリップ（１）の口を開いて、ネクタイ（Ｘ）を開放する。
このようにして、本発明はシャツの襟（Ｃ）を立てることをせずに、または、そのシャツがボタンダウン型であれば、襟ボタン（Ｄ）を襟穴（Ｅ）から外すことをせずに、シャツ見頃（Ｆ）と襟（Ｃ）の間に、ネクタイ（Ｘ）を通すことができるものである。
【符号の説明】
【０００９】１  クリップ
２  ゴム製の歯
３  ガイドプレート
４  プレート先端
５  指当て穴
Ａ  左襟口
Ｂ  右襟口
Ｃ  襟
Ｄ  襟ボタン
Ｅ  襟穴
Ｆ  シャツ見頃
【図１】
2019070219.tif 000003
【図２】
2019070219.tif 000004
【図３】
2019070219.tif 000005
【図４】
2019070219.tif 000006
【図５】
2019070219.tif 000007
【図６】
2019070219.tif 000008